(57)【要約】【課題】従来の浴室に用いられる硬質表面洗浄剤よりも洗浄力が高く、擦ることなく短時間で汚れを除去することが出来る洗浄剤組成物を提供する。【解決手段】（Ａ）分岐構造を持ち特定のアルキル鎖長であるヒドロキシアルキル多価アルコールエーテル化合物を０．１〜１０重量部（Ｂ）アニオン界面活性剤または両性界面活性剤から選ばれる１種または複数種を５〜４０重量部（Ｃ）キレート剤を０．１〜１０重量部（Ｄ）水を４０〜９４．８重量部を含有しｐＨが６〜８であることを特徴とする洗浄剤組成物。【選択図】なし【特許請求の範囲】
【請求項１】
（Ａ）下記一般式（１）及び（２）で表されるヒドロキシアルキル多価アルコールエーテル化合物：
【化１】
2020002310.tif 000007
［但し、上記式（１）及び（２）において、Ｒ１は２〜４個の炭素原子を有するアルキル基又はアルケニル基を表し、Ｒ２、Ｒ３は、水素原子又はいずれか一方が１〜３個の炭素原子を有するアルキル基を表し、ｎは１〜３の整数を表す。］の少なくとも１種を０．１〜１０重量部
（Ｂ）アニオン界面活性剤または両性界面活性剤から選ばれる１種または複数種を５〜４０重量部
（Ｃ）キレート剤を０．１〜１０重量部
（Ｄ）水を４０〜９４．８重量部
を含有しｐＨが６〜８であることを特徴とする洗浄剤組成物。
【請求項２】
前記両性界面活性剤がアミドプロピルベタインである請求項１に記載の洗浄剤組成物。
【請求項３】
浴室の硬質表面洗浄に用いることを特徴とする請求項１〜２に記載の洗浄剤組成物。
【発明の詳細な説明】
【技術分野】
【０００１】
本発明は、浴室の洗浄に用いられる洗浄剤組成物に関する。特に、石鹸カスと皮脂の複合した強固な汚れに対して、直接塗布または、噴霧した泡を、汚れ部位に付着させることにより擦ることなく短時間で汚れを除去する高い洗浄力を有する洗浄剤組成物に関する。
【背景技術】
【０００２】
文化的な生活を行う上で浴室での身体の洗浄は、衛生状態を維持する上で欠かせない行為となっている。一方で、衛生環境を維持するための浴室は、高温多湿であることからカビ等の雑菌が繁殖しやすいこと及び、身体洗浄に用いられた洗浄剤と皮脂汚れとの複合物である石鹸カス等により汚れやすく、これらの汚れは除去が難しい性格を有しているため、汚れの除去には多大な労力を要する。
【０００３】
これらの複合汚れを、除去するため多数の提案がなされており、例えば特許文献１では、浴室汚れの洗浄に用いられる洗浄剤にカルビトール類を配合することが提案されており、カチオン界面活性剤、両性界面活性剤、及び脂肪酸塩を含有する液体洗浄剤組成物が記載されている。特許文献２には、有機酸及び／又はその塩、ベタイン型両性界面活性剤、カチオン性抗菌剤、溶剤を含有する酸性抗菌洗浄剤組成物が記載されている。
【先行技術文献】
【特許文献】
【０００４】
【特許文献１】特開平９−５３０９２号公報
【特許文献２】特開２０１２−１１１８４６号公報
【発明の概要】
【発明が解決しようとする課題】
【０００５】
特許文献記載の手法は、汚れの除去効果は満足するものであったが、汚れの除去に時間を要し短時間で清掃を完了させるのには、難があった。
【課題を解決するための手段】
【０００６】
本発明者らは、汚れの除去速度に、溶剤の関与が密接にかかわっていることに着目し、皮脂汚れや石鹸カスを低濃度でありかつ短時間で分散可能な溶剤を、鋭意検討を行った結果、直鎖のグリコールエーテルであるカルビトール類に比べて、分岐構造を持ち特定のアルキル鎖長であるアルキルグリコール多価アルコールエーテルが、特段の除去速度を有することを見出し、直接塗布または、噴霧した泡を、汚れ部位に付着させることにより擦ることなく短時間で汚れを除去する高い洗浄力を有する洗浄剤組成物を完成させるに至った。
【０００７】
即ち、本発明は下記の発明を提供する。
（ａ）（Ａ）下記一般式（１）及び（２）で表されるヒドロキシアルキル多価アルコールエーテル化合物：
【化１】
2020002310.tif 000002
［但し、上記式（１）及び（２）においてＲ１は、２〜４個の炭素原子を有するアルキル基又はアルケニル基を表し、Ｒ２、Ｒ３は、水素原子又はいずれか一方が１〜３個の炭素原子を有するアルキル基を表し、ｎは１〜３の整数を表す。］の少なくとも１種を０．１〜１０重量部
（Ｂ）アニオン界面活性剤または両性界面活性剤から選ばれる１種または複数種を５〜４０重量部
（Ｃ）キレート剤を０．１〜１０重量部
（Ｄ）水を４０〜９４．８重量部
を含有しｐＨが６〜８であることを特徴とする洗浄剤組成物。
（ｂ）前記両性界面活性剤がアミドプロピルベタインである（ａ）に記載の洗浄剤組成物。
（ｃ）浴室の硬質表面洗浄に用いることを特徴とする（ａ）〜（ｂ）記載の洗浄剤組成物。
【発明の効果】
【０００８】
特定のアルキル鎖長のヒドロキシアルキル多価アルコールエーテル化合物の少なくとも１種を、０．１〜１０重量部を用いることにより、短時間で汚れ成分を洗浄剤中に分散させ硬質表面より除去する特段の効果が得られる。アニオン界面活性剤または両性界面活性剤から選ばれる１種または複数種を５〜４０重量部含むことにより、発泡性に優れた泡状洗浄剤として硬質表面の洗浄に用いることが出来る。キレート剤を０．１〜１０重量部含むことにより水溶性に乏しい金属塩を、水溶性の洗浄剤組成物中に分散させ硬質表面から除去することが出来る。水を４０〜９４．８重量部含むことにより硬質表面から除去した汚れ成分を、洗浄剤組成物中に容易に分散させることが出来、洗浄後に容易にすすぎ落とすことが出来る。ｐＨが６〜８であることにより洗浄対象の硬質表面にダメージを与えることはなく、使用者の皮膚トラブルを起こす可能性を低減させることが出来る。
【発明を実施する為の形態】
【０００９】
以下に具体例を挙げて、本発明についてさらに詳しく説明するが、本発明はこれらの説明により何ら限定されるものでは無い。
本発明は、以下の特徴を有している洗浄剤組成物に関する。
（ａ）（Ａ）下記一般式（１）及び（２）で表されるヒドロキシアルキル多価アルコールエーテル化合物：
【化１】
2020002310.tif 000003
［但し、上記式（１）及び（２）においてＲ１は、２〜４個の炭素原子を有するアルキル基又はアルケニル基を表し、Ｒ２、Ｒ３は、水素原子又はいずれか一方が１〜３個の炭素原子を有するアルキル基を表し、ｎは１〜３の整数を表す。］の少なくとも１種を０．１〜１０重量部
（Ｂ）アニオン界面活性剤または両性界面活性剤から選ばれる１種または複数種を５〜４０重量部
（Ｃ）キレート剤を０．１〜１０重量部
（Ｄ）水を４０〜９４．８重量部
を含有しｐＨが６〜８であることを特徴とする洗浄剤組成物。
（ｂ）前記両性界面活性剤がアミドプロピルベタインである（ａ）に記載の洗浄剤組成物。
（ｃ）浴室の硬質表面洗浄に用いることを特徴とする（ａ）〜（ｂ）記載の洗浄剤組成物。
【００１０】
本発明の組成物（Ａ）は、下記一般式（１）及び（２）で示されるヒドロキシアルキル多価アルコールエーテル化合物の１種を０．１〜１０重量部含む。：
【化１】
2020002310.tif 000004
［但し、上記式（１）及び（２）においてＲ１は、２〜４個の炭素原子を有するアルキル基又はアルケニル基を表し、Ｒ２、Ｒ３は、水素原子又はいずれか一方が１〜３個の炭素原子を有するアルキル基を表し、ｎは１〜３の整数を表す。］
本発明に使用されるヒドロキシアルキル多価アルコールエーテルは、炭素数２〜５の１，２−ジオールまたは、その縮合物と、炭素数４〜６の１，２−エポキシ化合物とを、触媒の存在下に、或いは無触媒条件下で、縮合反応させることにより調製することができる。
【００１１】
前記炭素数２〜５の１，２−ジオールまたは、その縮合物と、炭素数４〜６の１，２−エポキシ化合物との縮合反応に用いられる酸性触媒としては、硫酸、塩酸、硝酸、リン酸、ｐ−トルエンスルホン酸、ｍ−キシレンスルホン酸、三フッ化ホウ素エーテル錯体などが用いられ、その使用量は、反応に供されるエポキシ化合物のモル量に対し、０．０００１〜０．１倍モルであることが好ましく０．０００１倍モルを下回ると反応の進行が遅く、０．１倍モルを上回ると反応の制御が困難となり好ましくない。また塩基性触媒としては、水酸化ナトリウム、水酸化カリウム、水酸化カルシウム、水酸化マグネシウム、水酸化バリウム、ナトリウムメトキシド、ナトリウムエトキシド、金属ナトリウム、金属カリウム、金属リチウムなどが用いられ、その使用量は、反応に供されるエポキシ化合物のモル量に対し、０．０００１〜０．１倍モルであることが好ましく０．０００１倍モルを下回ると反応の進行が遅く、０．１倍モルを上回ると反応の制御が困難となり好ましくない。
前記縮合反応は、好ましくは３０〜１５０℃の温度において１０分〜２日間で行われることが好ましい。反応温度が３０℃を下回ると反応が進行せず、１５０℃を超えると反応物が著しく着色し好ましくない。反応圧力についての格別の制限はないが、一般に常圧から消防法に定める一圧反応装置の許容範囲内の条件下において縮合反応が進行する。反応が完了したことは、反応物をガスクロマトグラフ（ＧＣとも称する）で分析し、原料のピークが消失していることで確認することが出来る。
【００１２】
炭素数２〜５の１，２−ジオールまたは、その縮合物は、特に限定されるわけではないが、好ましくは、エチレングリコール、プロピレングリコール、ジエチレングリコール、ジプロピレングリコール、トリエチレングリコール、トリプロピレングリコールを用いることで高い洗浄力を示し、単独に用いられてもよく、又はその２種以上の混合物として用いられてもよい。前記炭素数２〜５の１，２−ジオールの縮合物を用いる場合には、２〜３モルの縮合物が望ましく、３モルを超える縮合物を用いると洗浄力が低下する場合がある。炭素数５を上回ると洗浄力が、向上しない場合がある。炭素数４〜６の１，２−エポキシ化合物は、１，２−エポキシブタン、１，２−エポキシペンタン、１，２−エポキシヘキサンが例示され、好ましくは１，２−エポキシペンタン、１，２−エポキシヘキサンから選ばれる。これらの化合物は単独に用いられてもよく、又はその２種以上の混合物として用いられてもよい。炭素数が、６を超えると洗浄効果が低下する場合がある。
好ましい組成物（Ａ）としては、ペンチルグリコールヒドロキシエチルエーテル、ペンチルグリコールヒドロキシジエチルエーテル、ペンチルグリコールヒドロキシプロピルエーテル、ペンチルグリコールヒドロキシジプロピルエーテル、ヘキシルグリコールヒドロキシエチルエーテル、ヘキシルグリコールヒドロキシジエチルエーテル、ヘキシルグリコールヒドロキシプロピルエーテル、ヘキシルグリコールヒドロキシジプロピルエーテルが例示できる。
【００１３】
本発明の組成物（Ａ）は、０．１〜１０重量部であることが好ましく、１〜５重量部であることが更に好ましい。０．１重量部を下回ると十分な洗浄効果が得らない場合があり、１０重量部を超えて配合を行っても洗浄効果の向上が見られない場合がある。
【００１４】
本発明の組成物（Ｂ）として、アニオン界面活性剤または両性界面活性剤から選ばれる１種または複数種を５〜４０重量部を含む。アニオン界面活性剤または両性界面活性剤から選ばれる１種または複数種を５〜４０重量部を含むことによって、洗浄剤組成物の発泡性が上がり垂直な硬質表面に対して、泡状に噴霧することにより洗浄剤組成物を滞留させることが出来る。アニオン界面活性剤または両性界面活性剤から選ばれる１種または複数種が、５重量部未満では実用的な泡を維持できない場合があり、４０重量部を超えると洗浄後のすすぎ洗い性に劣る場合がある。
本発明の洗浄剤組成物に使用できるアニオン界面活性剤としては、特に限定されるものではないが、長鎖脂肪酸塩、直鎖アルキルベンゼンスルホン酸塩、アルキル硫酸エステル塩、アルキルエーテル硫酸エステル塩、アルキルリン酸エステル塩、アルファオレフィンスルホン酸塩、アルファスルホ脂肪酸メチルエステル塩、アルカンスルホン酸塩、Ｎ−アシル−Ｎ−メチルタウリン塩、Ｎ−アシルアミノ酸塩、ポリオキシエチレンアルキルエーテルカルボン酸塩、ポリオキシエチレン脂肪酸エステル、脂肪酸アルカノールアミド、ポリオキシエチレンアルキルエーテル、アルキルグリコシド、グリセリン脂肪酸エステル、ポリオキシエチレン脂肪酸アミド、ポリオキシエチレンヒマシ油及び硬化ヒマシ油、ポリオキシエチレンアルキルアミンが例示され、両性界面活性剤としては、特に限定されるものではないが、アルキルアミノ脂肪酸塩、アルキルベタイン、アミドベタイン、アルキルアミンオキシドを例示することが出来る。
特に、目や皮膚に対する刺激性が少なく幅広いｐＨ領域で起泡力の高い両性界面活性剤が好ましく、アミドベタインが更に好ましい。アミドベタインとしては、広く市販されているものを使用することが出来、炭素数8〜22のアルキル鎖長を持つものが例示され、単独のアルキル鎖長、複数種の混合または、天然油脂由来の脂肪酸組成に由来するアルキル組成のものを用いることが出来る。
【００１５】
本発明の組成物（Ｃ）として、キレート剤を０．１〜１０重量部含む。キレート剤を、１〜５重量部含むことによって優れた洗浄効果が得られる。キレート剤が０．１重量部未満では、洗浄効果が見られない場合があり、１０重量部を超えて添加しても洗浄効果が向上しない場合がある。
本発明の組成物（Ｃ）であるキレート剤としては、特に限定されるものではないが、以下の（１）〜（５）に示した化合物の１種以上が挙げられる。
【００１６】
（１）オルソリン酸、ピロリン酸、トリポリリン酸、メタリン酸、ヘキサメタリン酸、フィチン酸等のリン酸系化合物、及びそのアルカリ金属塩又はアンモニウム塩又はアルカノールアミン塩。
（２）エタン−１，１−ジホスホン酸、エタン−１，１，２−トリホスホン酸、エタン−１−ヒドロキシ−１，１−ジホスホン酸及びその誘導体、エタンヒドロキシ−１，１，２−トリホスホン酸、エタン−１，２−ジカルボキシ−１，２−ジホスホン酸、メタンヒドロキシホスホン酸等のホスホン酸、及びそのアルカリ金属塩又はアンモニウム塩又はアルカノールアミン塩。
（３）ニトリロ三酢酸、イミノ二酢酸、エチレンジアミン四酢酸、ヒドロキシエチレンジアミン酢酸、ジエチレントリアミン五酢酸、グリコールエーテルジアミン四酢酸、ヒドロキシエチルイミノ二酢酸、トリエチレンテトラミン六酢酸、ジェンコル酸等のアミノポリ酢酸、及びそのアルカリ金属塩又はアンモニウム塩又はアルカノールアミン塩。
（４）クエン酸、乳酸、酒石酸、シュウ酸、リンゴ酸、グルコン酸、ジグリコール酸、オキシジコハク酸、カルボキシメチルコハク酸、カルボキシメチルオキシコハク酸、カルボキシメチル酒石酸等の化合物、及びそのアルカリ金属塩又はアンモニウム塩又はアルカノールアミン塩。
（５）アミノポリ（メチレンホスホン酸）、ポリエチレンポリアミンポリ（メチレンホスホン酸）、及びそのアルカリ金属塩又はアンモニウム塩又はアルカノールアミン塩。
【００１７】
上記キレート剤のうち、好ましいものはクエン酸やリンゴ酸等のヒドロキシカルボン酸、ピロリン酸等の縮合リン酸、エチレンジアミン四酢酸等のアミノカルボン酸、及びそれらの塩、好ましくはアルカリ金属塩又はアンモニウム塩又はアルカノールアミン塩であり、より好ましいものはクエン酸やリンゴ酸等のヒドロキシカルボン酸、及びその塩、好ましくはアルカリ金属塩又はアンモニウム塩又はアルカノールアミン塩である。
【００１８】
本発明の組成物（Ｄ）として、水を４０〜９４．８重量部含む。水を４０〜９４．８重量部含むことによって、硬質表面に本発明の組成物を容易に塗布または、泡状にして付着させることが出来るだけでなく、洗浄後に容易に洗い流すことが出来る。水が４０重量部未満では、洗浄剤組成物の流動性が低下しく塗布に難があるまたは、泡状に硬質表面に付着させるのに難がある場合があり、洗浄後にすすぎ洗いを行う際に多量の水を要する場合があり、９４．８重量部を超えると洗浄剤成分の不足により洗浄効果が見られない場合がある。本発明に使用する水に特に制限はなく、常水を用いることが出来るが、洗浄剤組成物の性能を設計通りに発現させたい場合には、公知の手法にてイオン分を除去した精製水を用いるのがより好ましい。
【００１９】
本発明の組成物のｐＨは、６〜８であることが好ましい。ｐＨが６〜８であることによって、強固に硬質表面に固着しており水溶性をほとんど持たない石鹸カスや脂肪酸を、硬質表面を損傷することなく安全に除去することが出来る。ｐＨが６未満では、金属で構成された硬質表面に使用するには難がある場合があり、８を超えると使用時に、手荒れ等が発生する場合がある。本発明の範囲にｐＨを調整するために用いる酸または、アルカリに特に制限はなく任意のものを用いることが出来、塩酸、硫酸、硝酸、リン酸、カルボン酸類、炭酸塩、ケイ酸塩、苛性ソーダ、苛性カリ、アルカノールアミン類、アルキルアミン類を、例示することが出来る。
【００２０】
本発明の洗浄剤組成物には、製品の付加価値を増大させるために、香料、色素、防腐剤、酸化防止剤等を任意に配合することが出来る。
【００２１】
本発明の洗浄剤組成物は、強固に硬質表面に固着しており水溶性に乏しい石鹸カスや脂肪酸を、短時間で効率的に除去することが出来ることから、特にこれらの汚れの除去が求められる浴室の硬質表面洗浄に用いることで、特段の効果を得ることが出来る。また、本発明の洗浄剤組成物は、従来の洗浄剤組成物に比べて短時間で水溶性に乏しい汚れ成分を、硬質表面より除去することが出来ることから、硬質表面に本発明の洗浄剤組成物を塗布または、泡状に噴霧後にふき取りや、擦り洗いを行うことなく、洗い流すことで洗浄を行うことが出来る。
【００２２】
本発明の洗浄剤組成物の使用方法は、特に限定されるものではないが、スプレー等を用いて泡状に洗浄対象に噴霧して使用することが好ましい。泡状に噴霧することにより垂直の硬質表面に対して、より多くの洗浄剤組成物を滞留させることが出来る。また、噴霧することにより一度のポンプ操作で、より広い範囲に洗浄剤組成物を、塗布することが可能となる。本発明の洗浄剤組成物を、ミスト状に噴霧して使用することもできるが、垂直の硬質表面に用いる際に、洗浄に十分な量の洗浄剤組成物を滞留させるのに難がある場合があり、泡状に噴霧する場合に比べて微小な液滴が長時間空中に滞留する場合があり使用者が意図せずに吸引する可能性が上昇する。
【００２３】
本発明の組成物（Ａ）の汚れ成分の洗浄性は、（ａ）フタ付きの試験管に汚れ成分（ステアリン酸Ｃａ、オレイン酸、トリオレインの各成分）を０．０５ｇ量りとる。（ｂ）組成物（Ａ）または、比較対象成分の各濃度の水溶液を１０ｍＬ加える。（ｃ）フタをして３０秒間上下に浸透する。（ｄ）１分間静置後に外観を観察し、◎：完全に分散する。○：分散するが、わずかに沈殿（または分離）が見られる。△：わずかに分散する。×：分散しない。の４段階で評価することで確認することが出来る。
【００２４】
比較の結果、表１に示す通り本発明の組成物（Ａ）であるヘキシルグリコールヒドロキシプロピルエーテルは、既存のカルビトール類に比べて低い濃度であっても各汚れ成分を分散させるのに特段の効果を示した。従来用いられているブチルカルビトール類に比べて、低濃度においても同等の洗浄効果を示すことから組成物を構成する上では、配合量を減らすことで洗浄後のすすぎ性を、向上させることが出来る。
【００２５】
【表１】
2020002310.tif 000005
【実施例】
【００２６】
以下、具体的に実施例を挙げて、本発明についてさらに詳しく説明するが、本発明はこれらの実施例により限定されるものではない。また、使用した試薬は、特に記載のない限り全て関東化学株式会社製の試薬を用いた。
【００２７】
本発明の洗浄剤組成物の洗浄力は、以下の方法で評価した。
テストピース：ＦＲＰ製の縦６ｃｍ、横２ｃｍ、厚さ２ｍｍの板
汚れ成分モデル液：ステアリン酸カルシウム（４．７５ｇ）、アルブミン（牛血清由来  ０．２５ｇ）、オレイン酸（２．５０ｇ）、トリオレイン（２．５０ｇ）を２−プロパノール６０ｍＬに溶解してモデル液とする。
試験試料作成：テストピースを、汚れ成分モデル液に３秒間浸漬した後に、２５℃で１時間乾燥する操作を５回繰り返した後に、５０℃で１０時間乾燥したものを試験試料とする。
試験方法：スプレー容器を用いて洗浄組成物を試験試料に塗布して１分間静置後、水道水に１分間浸漬することですすぎ洗いを行い、５０℃で１０時間乾燥し、試験前後の重量変化を測定し重量減少率を洗浄率とする。同一の試験を５回行い、平均値を比較することにより洗浄力評価を行った。
【００２８】
（製造例１）ヘキシルグリコールヒドロキシプロピルエーテルの合成
撹拌装置、温度計を備えた３００ｍＬ四ツ口フラスコに、１，２−エポキシヘキサン（５０．０１ｇ、０．４９９ｍｏｌ）、７５%硫酸（０．２１ｇ、富士フイルム和光純薬株式会社製）、プロピレングリコール（１１５．１３ｇ、１．５０ｍｏｌ、エポキシの３．０ｅｑ.）を仕込んでから８０℃に昇温後、同温度で一晩撹拌した。翌日、ＧＣで原料の１，２−エポキシヘキサンのピークが消失したことを確認し、室温まで冷却した。炭酸Ｎａ（１．０１ｇ）を加えて１時間撹拌し、ｐＨ試験紙でｐＨ５以上になっていることを確認してから、減圧により過剰に仕込んだプロピレングリコールを留去した。最後に、桐山ロートを用いて固形物を除去して目的物を得た。収量は７７．４１ｇ、収率は８８．０%（理論収量：８８．００ｇ）であった。
ＧＣ分析は、以下に示す条件で行った。
装置：株式会社島津製作所  ＧＣ−２０１４
カラム：ＤＢ−１（Ｊ＆Ｗ社製）
カラム温度：３５℃から毎分１５℃で３００℃まで昇温
注入口温度：２８０℃
検出器温度：３００℃
キャリアガス：ヘリウム
検出器：水素炎イオン化検出器（ＦＩＤとも称する）
【００２９】
（製造例２）ペンチルグリコールヒドロキシプロピルエーテルの合成
撹拌装置、温度計を備えた３００ｍＬ四ツ口フラスコに、１，２−エポキシペンタン（４０．００ｇ、０．４６４ｍｏｌ、７５%硫酸（０．１８ｇ、富士フイルム和光純薬株式会社製）、プロピレングリコール（１０８．１８ｇ、１．３９ｍｏｌ、エポキシの３．０ｅｑ.）を仕込んでから８０℃に昇温後、同温度で一晩撹拌した。翌日、ＧＣで原料の１，２−エポキシペンタンのピークが消失したことを確認し、室温まで冷却した。炭酸Ｎａ（１．０７ｇ）を加えて１時間撹拌後、ｐＨ試験紙でｐＨ５以上になっていることを確認してから、減圧により過剰に仕込んだプロピレングリコールを留去した。最後に、桐山ロートを用いて固形物を除去して目的物を得た。収量は６４．４９ｇ、収率は８５．６％（理論収量：７５．３４ｇ）であった。
【００３０】
モデル汚れを用いた洗浄力の比較
製造例１または、２で合成した洗浄剤成分Ａ、比較対象として既存の溶剤であるブチルカルビトールまたは、エチルカルビトールを用いて、表２に記載の割合で総量が１００ｇとなるよう洗浄剤組成物を作成し（洗浄剤組成物中の各重量部は調整後の純分換算で表記）、モデル汚れを用いて洗浄力評価を行った。
洗浄剤組成物中のラウリン酸アミドプロピルベタインは、川研ファインケミカル株式会社製のソフタゾリンＬＰＢ（３０％水溶液）を使用した。また、表２の組成となるよう各成分を秤量しマグネチチックスターラーで３０分間撹拌後、水酸化カリウム（富士フイルム和光純薬株式会社製）を用いて、ｐＨを７．０（２５℃）に調整して作成した洗浄剤組成物を評価に用いた。
【００３１】
洗浄剤組成物の洗浄力を比較したところ、表２に示す通り本願発明に記載の組成物（Ａ）を用いた場合には、組成例１〜３の比較結果から５重量部、１重量部のいずれの組成でも、既存のブチルカルビトールおよびエチルカルビトールを用いた比較例１〜４の洗浄率を、同一使用量において上回る洗浄率を示した。特に組成物（Ａ）を、１％用いた組成例２は、比較例２，４に比べて、高い洗浄率を示した。
【００３２】
【表２】
2020002310.tif 000006
【産業上の利用可能性】
【００３３】
本洗浄剤組成物を用いると、従来よりも少ない洗浄剤を用いても高い洗浄効果を示すことから、擦り洗いを行うことなく浴室の洗浄を行うことが出来、排水による環境負荷を、低減することが出来る。浴室と類似の汚れが付着する、洗面台、シンク、トイレ等にも本発明を用いることが出来る。